(57)【要約】【課題】装置が外部に持ち出されて、データの流出を招くことを防止できる情報処理装置を提供する。【解決手段】セキュリティ用のデータを保存するためのＦｅＲＡＭからなるセキュリティ用メモリ１６が設けられる。ケース開閉センサ３１からの検出信号を基に、データの流出の可能性が高いかどうかが判断され、データの流出の可能性が高い場合には、クロック発生回路３０からのクロック周波数が上がる。クロック周波数が上がると、ＣＰＵ１２の発熱が大きくなり、セキュリティ用メモリ１６の温度が上昇し、セキュリティ用メモリ１６のデータが失われる。これにより、セキュリティ用メモリ１６に保存されたデータの流出を防ぐことができる。【選択図】図１
2007323487.tif 000002
【特許請求の範囲】
【請求項１】
高温でデータ保持特性が低下するメモリ素子からなり、セキュリティを保つ必要のあるデータが記憶されるセキュリティ用メモリと、
データの流出の危険性を判断する判断手段と、
通常時の第１のクロック周波数と、前記通常時の第１のクロック周波数より高い第２のクロック周波数とにクロック周波数を設定可能なクロック発生回路と、
を備え、
前記判断手段によりデータの流出があると判断された場合には、電源電圧を前記第２のクロック周波数に設定することを特徴とする情報処理装置。
【請求項２】
前記データの流出の危険性を判断する判断手段は、ケースの開閉を検出する開閉検出手段からなることを特徴とする請求項１に記載の情報処理装置。
【請求項３】
前記データの流出の危険性を判断する判断手段は、装置の位置を測位する測位手段と、
前記測位手段の測位情報から、装置の移動があったかどうかを判断する移動判断手段と、
からなることを特徴とする請求項１に記載の情報処理装置。
【請求項４】
前記測位手段は、ＧＰＳであることを特徴とする請求項３に記載の情報処理装置。
【請求項５】
前記セキュリティ用メモリは、ＦｅＲＡＭから構成されることを特徴とする請求項１に記載の情報処理装置。
【請求項６】
前記第１のクロック周波数は、ＣＰＵが正常に動作する規定の範囲内のクロック周波数であり、前記第２のクロック周波数は、前記規定の周波数範囲よりも高い周波数であることを特徴とする請求項１に記載の情報処理装置。
【発明の詳細な説明】
【技術分野】
【０００１】
本発明は、情報処理装置に関し、特に、情報処理装置が外部に持ち出されて、データの流出を招くことを防止する情報処理装置に関する。
【背景技術】
【０００２】
個人情報等の重要なコンピュータデータの外部流出が社会的な問題となっている。特に、近年では、ネットワークによるデータの流出が大きな問題である。そこで、会社内等のネットワークにおいては、ファイヤーウォールを構築して、不正なアクセスを防ぐ対策が施されている。
【０００３】
しかしながら、データの流出は、ネットワークを通じて起こるものばかりではなく、コンピュータが外部に持ち出されることにより起こることがある。
【０００４】
例えば、会社等で業務に使用しているコンピュータを家庭に持ち帰って使用する場合がある。この場合、会社内等のネットワークでは、ファイヤーウォールやウィルス対策により、セキュリティの向上が図れているが、家庭内のネットワークでは、セキュリティ対策が不十分であることが多い。このため、会社等で業務に使用しているコンピュータを家庭内のネットワークに接続すると、重要なデータが外部に流出してしまう危険性がある。
【０００５】
また、会社等で業務に使用しているコンピュータを持ち帰る途中で、電車や飲食店にコンピュータを置き忘れてしまったり、コンピュータが盗用されたりする危険性もある。このように、忘れてしまったコンピュータから、或いは、盗用されたコンピュータから、不正にデータが読み出され、外部に流出してしまうことが考えられる。このようなコンピュータが外部に持ち出されることによるデータの流出は、会社内等のネットワークのセキュリティを向上させても、食い止めることはできない。
【０００６】
そこで、コンピュータの位置を測位し、コンピュータが所定の位置から外れた場合に、重要なデータが流出しないような対応を行うことが考えられる。例えば、ＧＰＳを有する携帯情報端末が、使用行動範囲内に存在しない場合に、正規の所有者でないとして、ファイル削除を行うようにしたものが提案されている（例えば、特許文献１参照。）。
【０００７】
また、コンピュータのデータを盗む場合には、コンピュータのケースが開けられる可能性が高い。そこで、例えば、電子装置のカバーがオープンされると、フラッシュメモリを消去するようにしたものが提案されている（例えば、特許文献２参照。）。
【特許文献１】特開２００３−１８６５２号公報
【特許文献２】特開２００１−２４３１２０号公報
【発明の開示】
【発明が解決しようとする課題】
【０００８】
しかしながら、特許文献１に示されるものは、使用行動範囲内に存在しない場合に、ファイル削除を行う処理が必要である。また、特許文献１及び特許文献２では、重要なデータのみを判別し、ファイルを削除する処理を実行する必要があり、特別なプログラムが必要になるという問題がある。
【０００９】
そこで、本発明は、上述の課題に鑑みてなされたものであり、装置が外部に持ち出されて、データの流出を招くことを防止できる情報処理装置を提供することを目的とする。
【課題を解決するための手段】
【００１０】
上述の課題を解決するために、本発明は、以下の事項を提案している。
（１）本発明は、高温でデータ保持特性が低下するメモリ素子からなり、セキュリティを保つ必要のあるデータが記憶されるセキュリティ用メモリと、データの流出の危険性を判断する判断手段と、通常時の第１のクロック周波数と、前記通常時の第１のクロック周波数より高い第２のクロック周波数とにクロック周波数を設定可能なクロック発生回路と、を備え、前記判断手段によりデータの流出があると判断された場合には、前記電源電圧を前記第２のクロック周波数に設定する情報処理装置である。
【００１１】
本発明によれば、高温でデータ保持特性が低下するメモリ素子からなるセキュリティ用メモリに、重要なデータが記録される。そして、データの流出の危険性を判断する判断手段により、データの流出の危険性が高いと判断されると、通常時の第１のクロック周波数より僅かに高い第２のクロック周波数に設定される。このため、ＣＰＵの発熱が大きくなり、セキュリティメモリの温度が上昇し、セキュリティ用メモリのデータが削除される。このように、データの流出の危険性が高いと判断されると、セキュリティ用メモリの重要なデータが消去されるので、情報処理装置が外部に持ち出されて、データの流出を招くことを防止できる。
【００１２】
（２）また、本発明は、（１）の情報処理装置について、データの流出の危険性を判断する判断手段は、ケースの開閉を検出する開閉検出手段からなる。したがって、ケースが開かれたときには、データの流出の危険性が高いと判断できる。
【００１３】
（３）また、本発明は、（１）の情報処理装置について、データの流出の危険性を判断する判断手段は、装置の位置を測位する測位手段と、測位手段の測位情報から、装置の移動があったかどうかを判断する移動判断手段とからなる。したがって、装置の移動があったと判断されたときには、データの流出の危険性が高いと判断できる。
【００１４】
（４）また、本発明は、（１）の情報処理装置について、測位手段は、ＧＰＳであることを特徴とする。したがって、ＧＰＳを用いることで、情報処理装置の移動を精度良く検出することができる。
【００１５】
（５）また、本発明は、（１）の情報処理装置について、セキュリティ用メモリは、ＦｅＲＡＭから構成される。したがって、ＦｅＲＡＭを用いることで、高温でデータ保持特性が低下するメモリをもつ情報処理装置が実現できる。
【００１６】
（６）また、本発明は、（１）の情報処理装置について、第１のクロック周波数は、ＣＰＵが正常に動作する規定の範囲内のクロック周波数であり、第２のクロック周波数は、規定の周波数範囲よりも高い周波数である。したがって、規定の周波数範囲よりも僅かに高い周波数に設定することで、セキュリティ用メモリを高温にして、セキュリティメモリのデータを破壊することができる。
【発明を実施するための最良の形態】
【００１７】
以下、本発明の実施の形態について図面を参照しながら説明する。
＜第１の実施形態＞
図１は、本発明の第１の実施の形態に係る情報処理装置１を示す。図１において、バス１１には、ＣＰＵ(Ｃｅｎｔｒａｌ  Ｐｒｏｃｅｓｓｉｎｇ  Ｕｎｉｔ)１２、ＲＯＭ(Ｒｅａｄ  Ｏｎｌｙ  Ｍｅｍｏｒｙ)１３、ＲＡＭ(Ｒａｎｄｏｍ  Ａｃｃｅｓｓ  Ｍｅｍｏｒｙ)１４が接続される。ＲＯＭ１３には、ＢＩＯＳ（Ｂａｓｉｃ  Ｉｎｐｕｔ  Ｏｕｔｐｕｔ  Ｓｙｓｔｅｍ）等のブートプログラムが記憶されている。ＲＡＭ１４は、メインメモリとして用いられる。
【００１８】
また、バス１１には、ＨＤＤ(Ｈａｒｄ  Ｄｉｓｋ  Ｄｒｉｖｅ)１５が接続される。ＨＤＤ１５には、オペレーティングシステムやアプリケーションのプログラムが記録される他、各種のファイルが記録される。更に、本発明の第１の実施の形態においては、セキュリティ用メモリ１６がＣＰＵ１２に近接して設けられ、このセキュリティ用メモリ１６がバス１１に接続される。
【００１９】
セキュリティ用メモリ１６は、個人情報等のセキュリティを保つ必要がある重要なデータを記録するためのものである。セキュリティ用メモリ１６としては、高温度で、データの保持特性が低下するメモリ素子が用いられる。より具体的には、セキュリティ用メモリ１６としては、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）が用いられる。
【００２０】
ＦｅＲＡＭは、強誘電体膜をデータ保持用キャパシタとして利用したメモリで、不揮発性であると共に、データの書き換えを高速に行えるという特徴がある。また、データの読み出しが破壊読み出しで行われるため、再書き込みが必要である。また、強誘電体膜の分極状態のヒステリシス特性を利用しているため、所定の電圧範囲を外れると、データの読み出し、書き込みができなくなるという特徴がある。また、強誘電体膜の分極状態のヒステリシス特性は、高温になると、ヒステリシスが小さくなる傾向にある。このため、高温にさらされると、データが保持できなくなる。ＦｅＲＡＭについては、後に詳述する。
【００２１】
また、バス１１には、グラフィックス処理部１７を介して、液晶ディスプレイ等の表示デバイス１８が接続される。更に、バス１１には、汎用インターフェース２０が接続される。汎用インターフェース２０は、例えば、ＵＳＢ(Ｕｎｉｖｅｒｓａｌ  Ｓｅｒｉａｌ  Ｂｕｓ)であり、ここにキーボード２１やマウス２２等の入力装置が接続される。
【００２２】
また、本発明の第１の実施形態では、情報処理装置１のケースが開かれたかどうかを検出するケース開閉センサ３１が設けられている。情報処理装置１のケースが開けられたときには、データが流出する可能性が高い。そこで、このケース開閉センサ３１をデータの流出の危険性を判断する判断手段としている。そして、ケース開閉センサ３１により、ケースが開かれたことが検出されると、クロック発生回路３０からのクロックを上昇させる。
【００２３】
すなわち、ＣＰＵ１２に供給できるクロックの周波数の範囲は、ＣＰＵ１２の種類に応じて決められているが、規定の周波数範囲を少し越えても、動作可能である。しかしながら、ＣＰＵ１２のクロックを規定の周波数範囲よりも高くすると、発熱が大きくなる。
【００２４】
ケース開閉センサ３１の検出信号が、「ケース閉状態」を示す場合には、クロック発生回路３０からのクロック周波数は、決められた規定の範囲内のクロックに設定される。ケース開閉センサ３１の検出信号が、「ケース開状態」を示す場合には、クロック発生回路３０からのクロック周波数は、規定の範囲よりも高い周波数となり、ＣＰＵ１２の動作は可能であるが、発熱が大きい周波数に設定される。
【００２５】
電源投入時には、ＲＯＭ１３に記憶されているブートプログラムによりＣＰＵ１２が起動された後、ＨＤＤ１５に記憶されているオペレーティングシステムのプログラムが実行される。このオペレーティングシステムのプログラムを基に、各種のアプリケーションプログラムが実行される。
【００２６】
本発明の実施の形態に係る情報処理装置１においては、図１に示したように、ＦｅＲＡＭからなるセキュリティ用メモリ１６が設けられ、セキュリティが必要な重要なデータは、セキュリティ用メモリ１６に保存される。そして、ケース開閉センサ３１からの検出信号が、「ケース閉状態」を示す場合には、クロック発生回路３０からのクロック周波数が規定の範囲内のクロックに設定される。
【００２７】
これに対して、ケース開閉センサ３１からの検出信号が「ケース開状態」を示す場合には、クロック発生回路３０からのクロック周波数が規定の周波数より僅かに高く設定される。このため、ＣＰＵ１２の発熱が大きくなる。セキュリティ用メモリ１６はＣＰＵ１２に近接して配置されているため、ＣＰＵ１２の発熱が大きくなると、セキュリティ用メモリ１６の温度が上昇する。
【００２８】
ＦｅＲＡＭからなるセキュリティ用メモリ１６は、高温になると、ヒステリシスが小さくなる傾向にあるため、高温にさらされると、データが保持できなくなる。このため、ケース開閉センサ３１からの検出信号が「ケース開状態」を示す場合には、セキュリティ用メモリ１６のデータは消去される。
【００２９】
以上、説明したように、本発明の第１の実施形態では、セキュリティ用のデータを保存するためのＦｅＲＡＭからなるセキュリティ用メモリ１６が設けられる。そして、ケース開閉センサ３１からの検出信号を基に、ケースが開けられたかどうかを判断し、「ケース開状態」の場合には、クロック発生回路３０からのクロックを上昇させる。このとき、クロックが上昇すると、ＣＰＵ１２が発熱し、セキュリティ用メモリ１６の温度が上昇し、セキュリティ用メモリ１６のデータは保持できなくなる。これにより、セキュリティ用メモリ１６に保存された重要なデータのみを自動的に消去することができ、セキュリティ用メモリ１６に保存されたデータの流出を防ぐことができる。
【００３０】
＜ＦｅＲＡＭの概要＞
次に、セキュリティ用メモリ１６として用いることができるＦｅＲＡＭの概要について説明する。
【００３１】
ＦｅＲＡＭは、強誘電体膜をデータ保持用キャパシタとして利用したものである。強誘電体材料は、ペロブスカイト構造と呼ばれる結晶構造をとり、強誘電体は、膜の両端に一定レベルの電圧を印加することにより、結晶格子の原子が電界の向きに移動し、分極状態となる。この分極状態は、強誘電体膜の両端の電圧を取り去った後も維持される。
【００３２】
強誘電体膜における印加電圧と分極量との関係は、図２に示すようなヒステリシス特性を持つ。すなわち、図２は、強誘電体膜の印加電圧（Ｖ）と分極量（Ｐ）との関係を示す。図２において、電圧を負側から正側に上げていったときには、曲線Ａ１に示す特性に沿って分極量が変化し、電圧を正側から負側に順次下げていったときには、曲線Ａ２に示す特性に沿って分極量が変化していき、電圧を上昇させていったときの分極特性の変化と、電圧を下降させていったときの分極特性の変化が異なっている。強誘電体のヒステリシス曲線は、電界Ｖを除去しても残留分極の存在により消滅しない。ＦｅＲＡＭでは、このようなヒステリシス特性を利用して、データが記憶される。
【００３３】
図３は、ＦｅＲＡＭのメモリセルを示すものである。図３に示すように、ＦｅＲＡＭのメモリセルＭ１は、トランスファーゲートのＭＯＳトランジスタＱ１と、強誘電体キャパシタＣ１とからなる。強誘電体キャパシタＣ１は、キャパシタの電極間に強誘電体膜を挿入したものである。ＭＯＳトランジスタＱ１のゲートはワード線ＷＬに接続される。ＭＯＳトランジスタＱ１のドレインがビット線ＢＬに接続され、ＭＯＳトランジスタＱ１のソースとプレート線ＰＬとの間に、強誘電体キャパシタＣ１が接続される。
【００３４】
メモリセルＭ１にデータを書き込むときには、ワード線ＷＬにＨレベルを供給し、ＭＯＳトランジスタＱ１をオンさせ、強誘電体キャパシタＣ１の一方の電極をビット線ＢＬに電気的に接続させる。そして、記録するデータに応じて、強誘電体キャパシタＣ１に電圧を印加する。強誘電体キャパシタＣ１に正方向の電圧を印加すれば、強誘電体キャパシタＣ１は特性Ａ１に沿って分極し、強誘電体キャパシタＣ１に負方向の電圧を印加すれば、強誘電体キャパシタＣ１は特性Ａ２に沿って分極し、強誘電体キャパシタＣ１は、いずれかの状態となるように分極する。これら２つの分極状態をそれぞれ「１」データ及び「０」データに対応させることによって、２値の論理データを書き込むことができる。
【００３５】
メモリセルＭ１からデータを読み出す場合には、ワード線ＷＬにＨレベルを供給し、ＭＯＳトランジスタＱ１をオンさせ、強誘電体キャパシタＣ１の一方の電極をビット線ＢＬに電気的に接続させる。そして、プレート線ＰＬの電圧を持ち上げていく。これにより、強誘電体キャパシタＣ１に書き込まれているデータに応じた電荷がビット線ＢＬに出力される。そして、ビット線ＢＬの電圧とリファレンス電位とをセンスアンプＡＭ１で比較し、「１」データ及び「０」データに対応させることによって、２値の論理データを読み出すことができる。
【００３６】
このとき、強誘電体メモリＣ１に論理「１」に対応するデータが保存されている場合には、そのデータは破壊され、論理「０」に対応するデータが保存されている場合には、そのデータは破壊されない。したがって、読み出しを完了すると、データは全て「０」になる。このように、ＦｅＲＡＭでは、データ読み出し後は、メモリセルＭ１の値は「０」にクリアされる。このような破壊読み出しとなるため、データを読み出した後には、センスアンプＡＭ１から読み出されたデータにより、再書き込みが行われる。
【００３７】
このようなＦｅＲＡＭの主な特徴は、以下の通りである。
（１）不揮発性
先ず、ＦｅＲＡＭは、強誘電体膜の分極状態を利用したものであり、この分極状態は、強誘電体膜の両端の電圧を取り去った後も維持される。このため、電源をオフした後にも、データが保持され、不揮発性メモリとして利用できる。
【００３８】
（２）書換速度が速い。
また、フラッシュメモリ等では、データを一旦消去してから、再書き込みするため、書き換え時間が長くなる。これに対して、ＦｅＲＡＭでは、データの消去、再書き込みが不要である。このため、書き換え速度が速い。
【００３９】
（３）破壊読み出し
上述のように、ＦｅＲＡＭでは、データ読み出しを行うときに、破壊読み出しとなる。このため、データを読み出した後に、再書き込みする必要がある。
【００４０】
（４）動作電圧範囲が狭い。
上述のように、ＦｅＲＡＭでは、強誘電体膜の分極状態のヒステリシス特性を利用している。このため、所定の電圧範囲を外れると、データの読み出し、書き込みができなくなる。例えば、基準の電源電圧３．３Ｖとすると、正常にデータの読み出し、書き込みができる電圧の範囲は、３Ｖから３．５Ｖ程度である。
【００４１】
（５）ディテンション特性が温度の影響を受ける。
強誘電体膜の分極状態のヒステリシス特性は、高温になると、ヒステリシスが小さくなる傾向にある。このため、高温にさらされると、データが保持できなくなる。
【００４２】
＜第２の実施形態＞
図４は、本発明の第２の実施形態を示すものである。この実施形態では、ケースが開かれたらクロック周波数を上昇させる処理をソフトウェアで行う。
【００４３】
すなわち、図４において、初期状態では、クロック周波数が通常時の周波数Ｆ１に設定される（ステップＳ１）。そして、ケース開閉センサ３１の出力から、ケースが開かれたかどうかが判断される（ステップＳ２）。ケースが開かれていなければ（ステップＳ２の「ＮＯ」）、ステップＳ１にリターンされる。ケースが開かれたと判断されたら（ステップＳ２の「ＹＥＳ」）、警告音の出力及び警告表示が行われる（ステップＳ３）。
【００４４】
そして、クロック周波数が、所定時間、通常時より高い周波数Ｆ２に上げられる（ステップＳ４）。これにより、ＣＰＵ１２の発熱が大きくなり、セキュリティ用メモリ１６の温度が上昇し、セキュリティ用メモリ１６に保存されたデータが消去される。そして、ステップＳ１にリターンされる。
【００４５】
＜第３の実施形態＞
図５は、本発明の第３の実施形態を示すものである。上述の第１の実施形態では、情報処理装置１のケースが開かれたかどうかを検出するケース開閉センサ３１が設けられており、このケース開閉センサ３１をデータの流出の危険性を判断する判断手段とした。そして、ケース開閉センサ３１により、ケースが開かれたことが検出されると、クロック発生回路３０からのクロックを上昇させた。
【００４６】
これに対して、この実施形態では、データの流出の危険性を判断する判断手段をＧＰＳ(Ｇｌｏｂａｌ  Ｐｏｓｉｔｉｏｎｉｎｇ  Ｓｙｓｔｅｍ)ユニット２３及び移動判断回路２４とから構成しており、移動判断回路２４の出力が「移動あり」の場合には、データの流出の危険性が高いとして、クロック発生回路３０からのクロックを上昇させている。
【００４７】
つまり、バス１１に、ＧＰＳユニット２３が接続される。ＧＰＳユニット２３は、地球を周回する複数の衛星を用いて、情報処理装置１の現在地を測位するものである。
【００４８】
ＧＰＳユニット２３からの測位情報は、移動判断回路２４に供給される。移動判断回路２４は、ＧＰＳユニット２３からの測位情報を基に、情報処理装置１の場所が移動されたかどうかを判断する。移動判断回路２４は、初期位置でのＧＰＳユニット２３からの測位情報を保存しておき、この保存された初期位置での測位情報と、現在の測位情報とを比較し、装置の移動があったか否かの判断信号を出力する。
【００４９】
そして、移動判断回路２４は、初期位置での測位情報と現在の測位情報との差が所定の範囲なら、「移動無し」の判断信号を出力し、初期位置での測位情報と現在の測位情報との差が所定の範囲を越えたら、「移動あり」の判断信号を出力する。この実施形態では、これらＧＰＳユニット２３及び移動判断回路２４がデータの流出の危険性を判断する判断手段となる。移動判断回路２４から、「移動無し」の判断信号が出力されたら、データの流出の危険性は小さく、「移動無あり」の判断信号が出力されたら、データの流出の危険性は大きい。
【００５０】
移動判断回路２４は、例えば、１チップのマイクロコンピュータで実現できる。また、移動判断回路２４は、初期位置を記憶するメモリと、ＧＰＳユニット２３からの測位情報を取り込むレジスタと、初期位置と現在の測位情報とを比較するコンパレータとから構成することも可能である。更に、ＧＰＳユニット２３に移動判断回路２４の機能を持たせ、ＧＰＳユニット２３から、直接、位置が移動されたかどうかを判断するための判断信号を出力させるようにしても良い。
【００５１】
移動判断回路２４からの判断信号は、クロック発生回路３０に供給される。そして、クロック発生回路３０の電源電圧が移動判断回路２４からの判断信号により切り替えられる。
【００５２】
移動判断回路２４からの判断信号が、「移動無し」を示す場合には、クロック発生回路３０からのクロック周波数が規定の範囲内のクロックに設定される。このため、装置の移動がないときには、ＣＰＵ１２の発熱は大きくならず、セキュリティ用メモリ１６のデータは保持されている。
【００５３】
これに対して、移動判断回路２４からの判断信号が「移動あり」を示す場合には、クロック発生回路３０からのクロックが上昇し、ＣＰＵ１２の発熱が大きくなる。このため、セキュリティ用メモリ１６の温度が上昇する。ＦｅＲＡＭからなるセキュリティ用メモリ１６は、高温になると、ヒステリシスが小さくなる傾向にあるため、高温にさらされると、データが保持できなくなる。このため、移動判断回路２４からの判断信号が「移動あり」を示す場合には、セキュリティ用メモリ１６のデータは消去される。なお、他の構成については、前述の第１の実施形態と同様であり、その説明は省略する。
【００５４】
＜第４の実施形態＞
図６は、本発明の第４の実施形態を示すものである。この実施形態では、装置の移動があったらクロック周波数を上昇させる処理をソフトウェアで行う。
【００５５】
すなわち、図６において、初期状態では、クロック周波数が通常時の周波数Ｆ１に設定される（ステップＳ１１）。そして、ＧＰＳユニット２３からの測位情報が読み出される（ステップＳ１２）。読み出された測位情報と、初期位置での測位情報とが比較され、装置が所定距離以上移動されたかどうかが判断される（ステップＳ１３）。
【００５６】
ここで、装置が所定距離以上移動されていなければ（ステップＳ１３の「ＮＯ」）、ステップＳ１１にリターンされる。一方で、装置が所定距離以上移動されたと判断されたら（ステップＳ１３の「ＹＥＳ」）、警告音の出力及び警告表示が行われる（ステップＳ１４）。
【００５７】
そして、クロック周波数が、所定時間、通常時より高い周波数Ｆ２に上げられる（ステップＳ１５）。これにより、ＣＰＵ１２の発熱が大きくなり、セキュリティ用メモリ１６の温度が上昇し、セキュリティ用メモリ１６に保存されたデータが消去される。そして、ステップＳ１１にリターンされる。
【００５８】
なお、本発明は、上述した実施形態に限定されるものではなく、この発明の要旨を逸脱しない範囲内で様々な変形や応用が可能である。
【図面の簡単な説明】
【００５９】
【図１】本発明の第１の実施形態のブロック図である。
【図２】ＦｅＲＡＭの説明に用いるグラフである。
【図３】ＦｅＲＡＭのメモリセルの基本構造の説明図である。
【図４】本発明の第２の実施形態のフローチャートである。
【図５】本発明の第３の実施形態のブロック図である。
【図６】本発明の第４の実施形態のフローチャートである。
【符号の説明】
【００６０】
１１・・・バス、１２・・・ＣＰＵ、１３・・・ＲＯＭ、１４・・・ＲＡＭ、１５・・・ＨＤＤ、１６・・・セキュリティ用メモリ、１７・・・グラフィックス処理部、１８・・・表示デバイス、２０・・・汎用インターフェース、２１・・・キーボード、２２・・・マウス、２３・・・ＧＰＳユニット、２４・・・移動判断回路、３０・・・クロック発生回路、３１・・・ケース開閉センサ
【図１】
2007323487.tif 000003
【図２】
2007323487.tif 000004
【図３】
2007323487.tif 000005
【図４】
2007323487.tif 000006
【図５】
2007323487.tif 000007
【図６】
2007323487.tif 000008